(57)【要約】【課題】コンテンツ再生部とスピーカー部との物理的な一体性と、デザイン的な一体性とを併せ持たせることができるコンテンツ再生装置およびこれを備えた再生システムを提供する。【解決手段】コンテンツ再生装置であるホームオーディオ３は、平坦な上面に表示面を有するコンテンツ再生部４１と、上出力面４２ａが表示面と略面一に配設され、コンテンツ再生部４１と一体に形成されたスピーカー部４２と、を備えたものである。また、再生システム１は、コンテンツ再生機器３，４，５と、コンテンツ再生部４１と通信可能に構成されたソース機器２と、を備えたものである。【選択図】  図６
2013093762.tif 000002
【特許請求の範囲】
【請求項１】
平坦な上面に表示面を有するコンテンツ再生部と、
上出力面が前記表示面と面一に配設され、前記コンテンツ再生部と一体に形成されたスピーカー部と、を備えたことを特徴とするコンテンツ再生装置。
【請求項２】
前記コンテンツ再生部は、
前記表示面に、コンテンツ情報を記憶すると共に前記コンテンツ情報を再生操作するためのソース機器を載置可能に構成され、
且つ前記表示面に載置した前記ソース機器の再生操作用画面を表示させる表示制御手段を有していることを特徴とする請求項１に記載のコンテンツ再生装置。
【請求項３】
前記表示面は、タッチスクリーンで構成されていることを特徴とする請求項２に記載のコンテンツ再生装置。
【請求項４】
前記コンテンツ再生部は、載置した前記ソース機器に対し非接触で充電を行う非接触充電手段を、更に有していることを特徴とする請求項２に記載のコンテンツ再生装置。
【請求項５】
前記スピーカー部は、水平姿勢で配置した無指向性のスピーカーを有していることを特徴とする請求項２に記載のコンテンツ再生装置。
【請求項６】
前記スピーカー部は、前記上出力面に対応する下出力面を更に有し、
前記スピーカーは、音放射面を上下に有する平面スピーカーで構成され、上側の前記音放射面は前記上出力面に下側から対峙し、下側の前記音放射面は前記下出力面に上側から対峙していることを特徴とする請求項５に記載のコンテンツ再生装置。
【請求項７】
前記スピーカー部は、前記コンテンツ再生部の両側に位置して一対のスピーカーを有すると共に、
上面視において、前記コンテンツ再生部を内包する長円形に形成されていることを特徴とする請求項２に記載のコンテンツ再生装置。
【請求項８】
前記コンテンツ再生部の上端部および前記スピーカー部の上端部を露出させた状態で、前記コンテンツ再生部および前記スピーカー部を一体に収容すると共に、前記スピーカー部のエンクロージャーを兼ねる装置ケース部と、
前記装置ケースを支持する台座部と、を更に備え、
前記台座部に対し前記装置ケース部は、先上がりに傾動可能に構成されていることを特徴とする請求項２に記載のコンテンツ再生装置。
【請求項９】
請求項２に記載のコンテンツ再生装置と、
コンテンツ情報を記憶すると共に、前記コンテンツ再生部と通信可能に構成されたソース機器と、を備えたことを特徴とする再生システム。
【発明の詳細な説明】
【技術分野】
【０００１】
本発明は、コンテンツ再生部と、コンテンツ再生部と一体に形成されたスピーカー部と、を備えたコンテンツ再生装置およびこれを備えた再生システムに関するものである。
【背景技術】
【０００２】
従来、コンテンツ再生装置ではないが、表示面とスピーカーの出力面とが面一に形成されたスピーカーシステムおよびスピーカーシステムを備えた携帯端末が知られている（特許文献１参照）。このスピーカーシステムを備えた携帯端末は、画像表示する表示パネルと、表示パネルに表示された画像が透けて見えるように配置した透明パネルと、表示パネルの奥側において、音放射面が表示パネルに向くように配設したスピーカーと、表示パネルと透明パネルとの間の空間に配設され、スピーカーの放射音を伝達する音響伝達板と、を備えている。
この携帯端末では、表示パネルに表示すると共に、スピーカーの音を出力面となる表示パネルから放射するようになっている。
【先行技術文献】
【特許文献】
【０００３】
【特許文献１】特開２００３−１７９９８８号公報
【発明の概要】
【発明が解決しようとする課題】
【０００４】
このような従来のスピーカーシステムおよび携帯端末では、ユーザー好みの各種のコンテンツを記憶するソース機器としては、有用であるが、コンテンツを再生する機器としては、音質、画質等の面で十分ではなかった。
【０００５】
本発明は、コンテンツ再生部とスピーカー部との物理的な一体性と、デザイン的な一体性とを併せ持たせることができるコンテンツ再生装置およびこれを備えた再生システムを提供することを課題としている。
【課題を解決するための手段】
【０００６】
本発明のコンテンツ再生装置は、平坦な上面に表示面を有するコンテンツ再生部と、上出力面が表示面と面一に配設され、コンテンツ再生部と一体に形成されたスピーカー部と、を備えたことを特徴とする。
【０００７】
この構成によれば、コンテンツ再生部の表示面とスピーカー部の上出力面と、が略面一に形成され、且つコンテンツ再生部とスピーカー部と、が一体に形成されている。このため、コンテンツ再生部とスピーカー部との物理的な一体性と、デザイン的な一体性とを併せ持たせることができる。特に、コンテンツ再生部の表示面とスピーカー部の上出力面と、が略面一に形成することにより、コンテンツ再生部のターンテーブルをイメージしたデザインと、水平姿勢のスピーカー部の特異なデザインと、を融合させることができる。面一と表現しているが、スピーカーの上出力面と表示面との間に若干の段差があっても上記効果（特異なデザイン性）を有していれば本発明内容に含まれる。
【０００８】
この場合、コンテンツ再生部は、表示面に、コンテンツ情報を記憶すると共にコンテンツ情報を再生操作するためのソース機器を載置可能に構成され、且つ表示面に載置したソース機器の再生操作用画面を表示させる表示制御手段を有していることが、好ましい。
【０００９】
また、表示面は、タッチスクリーンで構成されていることが好ましい。
【００１０】
この構成によれば、ソース機器に記憶されている音楽、画像、映像等のコンテンツ情報を、コンテンツ再生部で再生することができるだけでなく、その再生に際し、ソース機器をコンテンツ再生部の表示面に置く（載置）だけで、タッチスクリーンによる感覚的な再生操作を行うことができる。
【００１１】
さらに、コンテンツ再生部は、載置したソース機器に対し非接触で充電を行う非接触充電手段を、更に有していることが好ましい。
【００１２】
この構成によれば、ソース機器をコンテンツ再生部の表示面に置く（載置）だけで、ソース機器の充電を自動的に行うことができる。すなわち、コンテンツ情報をコンテンツ再生部で再生しながら、ソース機器の充電を行うことができる。
【００１３】
一方、スピーカー部は、水平姿勢で配置した無指向性のスピーカーを有していることが好ましい。
【００１４】
この構成によれば、上出力面から放射される音が無指向性となるため、一般的な縦置きのスピーカーユニットに比しても、遜色のない音場を構成することができる。
【００１５】
この場合、スピーカー部は、上出力面に対応する下出力面を更に有し、スピーカーは、音放射面を上下に有する平面スピーカーで構成され、上側の音放射面は上出力面に下側から対峙し、下側の音放射面は下出力面に上側から対峙していることが好ましい。
【００１６】
この構成によれば、スピーカー部において、より一層、遜色のない音場を構成することができる。床にコンテンツ再生装置を載置した際、下出力面からの放出音は、コンテンツ再生装置下側の床からの反射を利用することで、適切な音場を形成することができる。
【００１７】
また、スピーカー部は、コンテンツ再生部の両側に位置して一対のスピーカーを有すると共に、上面視において、コンテンツ再生部を内包する長円形に形成されていることが好ましい。
【００１８】
この構成によれば、全体のデザイン性を損なうことなく、良好なスピーカーシステムを構築することができる。なお、デザイン性の観点から、コンテンツ再生部も上面視長円形に形成することが好ましい。
【００１９】
さらに、コンテンツ再生部の上端部およびスピーカー部の上端部を露出させた状態で、コンテンツ再生部およびスピーカー部を一体に収容すると共に、スピーカー部のエンクロージャーを兼ねる装置ケース部と、装置ケースを支持する台座部と、を更に備え、台座部に対し装置ケース部は、先上がりに傾動可能に構成されていることが好ましい。
【００２０】
この構成によれば、装置ケース部により一体的にデザインされたコンテンツ再生部およびスピーカー部を、空中に浮いたテーブルのイメージとすることができる。また、ユーザーの好みに応じて、装置ケース部を先上がりに傾けた状態とすることができる。
【００２１】
本発明の再生システムは、上記したコンテンツ再生装置と、コンテンツ情報を記憶すると共に、コンテンツ再生部と通信可能に構成されたソース機器と、を備えたことを特徴とする。
【００２２】
この構成によれば、ソース機器の持つコンテンツ情報を、コンテンツ再生装置で再生し、本格的に楽しむことができる。
【図面の簡単な説明】
【００２３】
【図１】実施形態に係る再生システムのシステム構成図である。
【図２】実施形態に係るソース機器の外観斜視図である。
【図３】実施形態に係るソース機器の正面図（ａ）、背面図（ｂ）および側面図（ｃ）である。
【図４】実施形態に係るソース機器の制御ブロック図である。
【図５】実施形態に係るリストバンドの外観斜視図である。
【図６】実施形態に係るホームオーディオの外観斜視図である。
【図７】実施形態に係るホームオーディオの正面図（ａ）および側面図（ｂ）である。
【図８】実施形態に係るホームオーディオの制御ブロック図である。
【図９】実施形態に係るカーオーディオの正面図である。
【図１０】実施形態に係るカーオーディオの制御ブロック図である。
【図１１】実施形態に係るステアリングホルダーの外観模式図である。
【図１２】実施形態に係るヘッドホンの外観模式図である。
【図１３】実施形態に係るヘッドホンの制御ブロック図である。
【発明を実施するための形態】
【００２４】
以下、添付の図面を参照して、本発明の一実施形態に係るコンテンツ再生装置およびこれを備えた再生システムについて説明する。この再生システムは、コンテンツを記憶するハンディタイプのソース機器と、ホームオーディオ等のコンテンツ再生機器と、各種アタッチメント等とを組み合わせものであり、ソース機器に記憶したコンテンツ情報を、場所を選ばず、また単一のユーザーは元より複数にユーザーも同時に再生し、楽しみ得るように構成されている。
【００２５】
図１は、再生システムのシステム構成図であり、同図に示すように、この再生システム１は、コンテンツ情報を記憶するソース機器２と、ソース機器２のコンテンツ情報を再生するホームオーディオ３（コンテンツ再生装置）、カーオーディオ４およびヘッドホン５とで構成されている。この場合、家庭内でのコンテンツ情報の再生はホームオーディオ３が、自動車内でのコンテンツ情報の再生はカーオーディオ４が、さらに街頭や電車内でのコンテンツ情報の再生はヘッドホン５が、それぞれ担う構成となっている。また、アタッチメントとして、ソース機器２の持ち運び（携帯）を考慮してリストバンド７が、自動車内でのソース機器２の操作性を考慮してステアリングホルダー８が、それぞれ用意されている。すなわち、この再生システム１では、好みのコンテンツ情報を、ユーザーの生活のあらゆる場面で再生可能とし、楽しむことができるように設計されている。
【００２６】
図２および図３は、再生システム１の中核を為すソース機器２の構造図であり、同図に示すように、ソース機器２は、片手でハンドリング可能な機器本体１１と、機器本体１１の右部に配置した回転操作用のリング操作部１２と、機器本体１１の外周面に設けたイルミネーション部１３と、を備えている。機器本体１１は、表裏を有する長円形の扁平な筐体１５と、筐体１５の表面の左部に大きく設けたタッチパネル構成の小型ディスプレイ１６と、筐体１５の裏面中央に大きく設けたセンサー部１７と、で構成されている。なお、センサー部１７は、脈拍数や体温を検出する人体検出センサーで構成されている。また、請求項に言う「操作部」は、上記のリング操作部１２および小型ディスプレイ１６に表示される再生ボタン等から構成されている。
【００２７】
筐体１５には、右側端の外観を構成する半円部と同心となるように開口部１５ａが形成され、この開口部１５ａに嵌め込むようにして、リング操作部１２が配設されている。また、筐体１５には、円弧状断面の外周面における上下中間部に環状溝１５ｂが形成されており、この環状溝１５ｂに嵌め込むようにして、イルミネーション部１３が配設されている。イルミネーション部１３は、発光ダイオードのアレイを内蔵したイルミネーション照明で構成されている。このように、ソース機器２の外観は、片手で違和感無くハンドリングできると共に、円を基調とする丸みを強調したデザインとなっている。
【００２８】
リング操作部１２は、メタリックの円環状に形成された操作リング１９と、操作リング１９に内蔵された静電センサー２０（図４参照）とで構成され、機器本体１１の表側および裏側から操作可能に構成されている。このため、操作リング１９は、機器本体１１（筐体１５）の表面および裏面から僅かに窪入するように形成され、且つその断面が内向きの半円形に形成されている。ユーザーは、機器本体１１を片手でハンドリング（把持）し、親指または人差し指を操作リング１９に宛がい、その内周面をなぞるようにして操作する。この場合、操作リング１９は半円形の内向きの凸部となっており、親指または人差し指の膨らみ部分（指の腹）を接触させて操作することになる。一方、静電センサー２０は、操作リング１９の内周面において、親指または人差し指の接触点の連続的に位置を検出し、その検出結果を後述する制御部２３に出力する。
【００２９】
また、リング操作部１２（操作リング１９）の中心部分には、機器本体１１（筐体１５）を表裏に貫通する貫通開口２１が形成されており、この貫通開口２１により、ソース機器２が、カーオーディオ４、リストバンド７およびステアリングホルダー８にそれぞれ装着できるようになっている（詳細は後述する。）。なお、リング操作部１２は、機器本体１１の表側から操作するための表操作部と裏側の操作するための裏操作部と、で別体構成とすることも可能であり、また表操作部のみであっても良い。また、リング操作部１２を、物理的に回転する構造としてもよい。
【００３０】
図４は、ソース機器２の制御ブロック図であり、同図に示すように、ソース機器２は、制御部２３、リング操作部１２、メモリー２４、小型ディスプレイ１６（タッチパネル）、電源部２５および無線通信部２６を備え、これらはバスＢ１を介して接続されている。また、ソース機器２は、ＲＦＩＤ（Radio  Frequency  Identification）２７を備えている。ＲＦＩＤ２７は、ホームオーディオ３、カーオーディオ４またはヘッドホン５によって、ソース機器２との離間距離を測定するために用いられる。
【００３１】
制御部２３は、ＣＰＵ（Central  Processing  Unit）、ＲＯＭ（Read  Only  Memory）、ＲＡＭ（Random  Access  Memory）等から成り（いずれも図示省略）、ハードウェア部内の各部を制御する。リング操作部１２は、静電式センサーであり、ＢＰＭや曲調を変更するために用いられる。メモリー２４は、コンテンツ情報および設定情報を記憶する。コンテンツ情報としては、楽曲データそのものを指すコンテンツと、その付随情報を記憶する。付随情報とは、楽曲データの解析情報（ＢＰＭ、ＫＥＹ、ジャンル情報など）やメタ情報（アーティスト名、タイトル名、アルバム名、アルバムアートワークなど）を指す。一方、設定情報としては、各種オーディオ設定（複数スピーカーの音量バランス、イコライザーカーブ、再生方法（繰り返し再生、ランダム再生など）、カットオフ周波数などを指す。
【００３２】
小型ディスプレイ１６（タッチパネル）は、再生中のコンテンツについて、再生情報、再生操作子群およびコンテンツ画像を表示する。電源部２５は、二次電池を主要部とし、ソース機器２内の各部に電力を供給する。また、電源部２５は、ソース機器２がホームオーディオ３の上に載置されるか、またはカーオーディオ４のドック（機器装着溝部７３）に装着されることにより充電される。無線通信部２６は、無線通信を介し、各再生機器（ヘッドホン５、ホームオーディオ３、カーオーディオ４）と情報の授受を行う。なお、ソース機器２から各再生機器への音声信号（楽曲データ）の出力は、アナログ信号として出力しても良いし、デジタル信号として出力しても良い。
【００３３】
なお、図４では省略したが、上記のバスＢ１には、イルミネーション部１３が接続されており、制御部２３は、上記の楽曲データの解析情報等により、イルミネーション照明を、点滅、回転点滅、照明色変更等の制御を行う。同様に、上記のバスＢ１には、センサー部１７が接続されており、制御部２３は、センサー部１７による脈拍数の検出や体温の検出に基づいて、ユーザーの感情を把握し、これを楽曲データの解析情報に反映させる。
【００３４】
図５は、リストバンド７の構造図であり、同図に示すように、リストバンド７は、いわゆるシリコンバンドで構成された帯状のバンド本体３１と、バンド本体の表面に突設した円形突起部３２と、で構成されている。円形突起部３２は、弾性材料で構成されており、これにソース機器２の貫通開口２１が嵌合する。すなわち、ソース機器２は、貫通開口２１の部分でリスバンド７の円形突起部３２に着脱自在に装着され、腕時計の形態で手首に取り付けて携帯する可能となっている。
【００３５】
図６および図７は、ホームオーディオ３の構造図であり、同図に示すように、ホームオーディオ３は、ソース機器２とリンクするコンテンツ再生部４１と、コンテンツ再生部４１の出力部を構成するスピーカー部４２と、コンテンツ再生部４１およびスピーカー部４２を下側から支持するように収容する装置ケース４３と、装置ケース４３が着座する台座部４４と、で構成されている。また、スピーカー部４２には、左右一対のスピーカー４５，４５が内蔵されている。コンテンツ再生部４１、スピーカー部４２および装置ケース４３は、一体に形成され、且つ一体のものとしてデザインされている。
【００３６】
コンテンツ再生部４１は、上方から見て長円形に形成され、スピーカー部４２は、コンテンツ再生部４１を同一の中心軸上に内包するように、上方から見て長円形に形成されている。また、コンテンツ再生部４１の上面は、タッチパネル４６となる平坦なタッチスクリーンで構成される一方、スピーカー部４２の上面は、平坦な上出力面４２ａを構成している。そして、コンテンツ再生部４１の上面（タッチパネル４６の表示面）と、スピーカー部４２の上面（上出力面４２ａ）とは、ほぼ面一に配置されている。したがって、ホームオーディオ３は、長円形のテーブルをイメージした特異なデザインとなっている。
【００３７】
装置ケース４３は、スピーカー部４２の直下に位置し、エンクロージャーの機能を兼ねる平板状ケース部５１と、コンテンツ再生部４１の直下に位置し、コンテンツ再生部４１の下側ケースを構成する碗状ケース部５２と、で一体に形成されている。平板状ケース部５１は、スピーカー部４２に内蔵した一対のスピーカー４５，４５に対応して、下向きの一対の下出面４２ｂ，４２ｂを有している。また、碗状ケース部５２の下面には、前後方向に延在する左右一対の円弧状突起５３，５３が突設されている。
【００３８】
一方、台座部４４は、上方から見て円形に形成され、その上面は、碗状ケース部５２の下面と相補的形状に形成されている。また、台座部４４の上面には、上記の円弧状突起５３が嵌まり込む左右一対の円弧状溝５４，５４が形成されている。台座部４４に対し装置ケース４３は、その碗状ケース部５２の部分で着脱自在に構成され、且つ円弧状突起５３および円弧状溝５４の協働により、前後方向に傾動自在に構成されている。すなわち、テーブル状に一体に形成された装置ケース４３、スピーカー部４２およびコンテンツ再生部４１は、台座部４４に対し前下がり（先上がり）に傾けて設置できるようになっている。
【００３９】
上述のように、スピーカー部４２には、水平姿勢で配置した無指向性の左右一対のスピーカー４５，４５が内蔵されている。各スピーカー４５は、上下に音放射面４５ａ，４５ｂを位置させた平面スピーカーで構成されている。平面スピーカーは、例えば表裏（上下）一対の振動板を有し、磁気回路に連結した駆動部と一対の振動板とを振動伝達リンクで接合して、構成されている。そして、振動板で構成された上側の音放出面４５ａは、上記の上出力面４２ａに下側から対峙し、下側の音放射面４５ｂは、上記の下出力面４２ｂに上側から対峙している。これにより、上出力面４２ａおよび一対の下出力面４２ｂ，４２ｂから放射される音の音放射特性は、縦置きのスピーカーに比しても遜色ないものとなっている。
【００４０】
コンテンツ再生部４１は、上面全域が長円形のタッチパネル４６（タッチスクリーン）で構成されており、タッチパネル４６には、その右寄りの部分に位置して、ソース機器２のリング操作部１２と同一のサブ操作部５６が埋め込むように配設されている。上述のように、コンテンツ再生部４１に対しソース機器２は、所定の距離近付けることにより通信可能となるが、タッチパネル４６上に載置して通信を行う基本仕様となっている。実施形態のコンテンツ再生部４１では、ソース機器２をタッチパネル４６上に載置すると、タッチパネル４６には、ソース機器２の操作画面が、ソース機器２に代えて大きく円形の枠で囲って表示され、タッチパネル４６上でも再生操作が可能となる。このように操作画面を円形の枠で囲って表示するようにしているため、コンテンツ再生部４１は、ターンテーブルのイメージとなる。
【００４１】
図８は、ホームオーディオ３の制御ブロック図であり、同図に示すように、ホームオーディオ３は、制御部６１（表示制御手段）、タッチパネル４６、ＲＦＩＤ読取部６２、ＤＳＰ６３、アンプ６４、スピーカー４５、電源部６５、無線通信部６６および充電部６７（非接触充電手段）を備え、これらはバスＢ２を介して接続されている。
【００４２】
制御部６１は、ＣＰＵ、ＲＯＭ、ＲＡＭ等から成り、ホームオーディオ３内の各部を制御する。タッチパネル４６は、ソース機器２が載置された場合に（ソース機器２との通信可能状態において）、再生操作領域（円形の枠）、再生情報、操作子群、音量操作子、コンテンツ画像などを表示する。ＲＦＩＤ読取部６２は、ソース機器２に設けられたＲＦＩＤ２７を読み取る。ＤＳＰ（Digital  Signal  Processor）６３は、音声信号処理を行い、アンプ６４は、ＤＳＰ６３による音声処理後の音声信号を増幅する。スピーカー４５は、２個の無指向性平面スピーカーから成り、増幅後の音声信号を出力する。電源部６５は、ＡＣ電源６８から電源供給を受け、ホームオーディオ３内の各部に電力を供給する。
【００４３】
無線通信部６６は、ソース機器２およびヘッドホン５と情報の授受を行う。充電部６７は、ソース機器２に対し電磁誘導により非接触充電を行う。特に図示しないが、複数個の電源コイルアレイが、タッチパネル４６の裏側に設けられおり、ソース機器２の配置に応じて、各電源コイルアレイが適切な場所に移動する（ムービングコイル方式）。これにより、複数台の同時充電が可能であると共に、ソース機器２の配置自由度を高めることができる（タッチパネル４６上であればどこにソース機器２が配置されても充電を行うことができる）。
【００４４】
図９は、カーオーディオ４の正面図であり、同図に示すように、カーオーディオ４は、自動車のダッシュボードに埋め込まれており、長円形に突出した突出パネル部７２を有するフロントパネル７１を備えている。突出パネル部７２には、ソース機器２が装着される機器装着溝部７３（ドック）が窪入形成されている。機器装着溝部７３は、ソース機器２が嵌まり込むようにソース機器２の外観形状と相補的形状に形成されている。また、機器装着溝部７３には、ソース機器２の貫通開口２１が係合する円形の突部７４が形成されている。さらに、突出パネル部７２には、機器装着溝部７３を除く部分に、広くタッチパネル構成のディスプレイ７５が設けられている。
【００４５】
この場合も、カーオーディオ４に対しソース機器２は、所定の距離近付けることにより通信可能となるが、フロントパネル７１の機器装着溝部７３に装着して通信を行う基本仕様となっている。ソース機器２の機器装着溝部７３への装着では、貫通開口２１を円形の突部７４に位置合わせして装着され、これにより、ソース機器２は、その表面が正面を向いた装着状態となる。そして、ソース機器２をカーオーディオ４に装着し再生を開始すると、ディスプレイ７５には、再生情報およびコンテンツ画像等が表示される。
【００４６】
図１０は、カーオーディオ４の制御ブロック図である。カーオーディオ４は、制御部８１、ディスプレイ７５、ＲＦＩＤ読取部８２、ＤＳＰ８３、アンプ８４、音声出力部８５、電源部８６、無線通信部８７および充電部８８を備え、これらはバスＢ３を介して接続されている。
【００４７】
制御部８１は、ＣＰＵ、ＲＯＭ、ＲＡＭ等から成り、カーオーディオ４内の各部を制御する。ディスプレイ７５は、ソース機器２との通信時（コンテンツ再生時）に、再生情報およびコンテンツ画像を表示する。ＲＦＩＤ読取部８２は、ソース機器２に設けられたＲＦＩＤ２７を読み取る。ＤＳＰ８３は、音声信号処理を行い、アンプ８４は、ＤＳＰ８３による音声処理後の音声信号を増幅する。音声出力部８５は、増幅後の音声信号を、車内の数箇所に配置された各スピーカー８９に出力する。電源部８６は、バッテリー電源９０から電源供給を受け、カーオーディオ４０内の各部に電力を供給する。
【００４８】
無線通信部８７は、ソース機器２およびヘッドホン５と情報の授受を行う。また、リモコン９１からの操作信号を受信する。なお、リモコン９１からは赤外線通信により操作信号を受信しても良い。充電部８８は、ソース機器２に対し電磁誘導により非接触充電を行う。特に図示しないが、カーオーディオ４のドック（機器装着溝部７３）の裏側には、１個の電源コイルアレイが固定配置されている。なお、カーオーディオ４も、ホームオーディオ３と同様に複数台の同時充電を可能としても良い。
【００４９】
図１１は、ステアリングホルダー８の外観模式図であり、同図に示すように、ステアリングホルダー８は、自動車のステアリングＳ（ハンドル）に装着する「Ｕ」字状のばね装着部１０１と、ばね装着部１０１からステアリングＳの内側に延びるホルダ部１０２と、を備えている。ホルダ部１０２の正面には、上下方向に位置ズレして装着突起１０３が設けられている。装着突起１０３は、弾性材料で構成されており、これにソース機器２の貫通開口２１が嵌合する。すなわち、ソース機器２は、貫通開口２１の部分でステアリングホルダー８の装着突起１０３に着脱自在に装着され、ステアリングＳを握ったユーザーが手元で再生操作できるようになっている。
【００５０】
図１２は、ヘッドホン５の外観模式図であり、同図に示すように、ヘッドホン５は、逆「Ｕ」字状のヘッドベルト１１１と、ヘッドベルト１１１の両端内側に設けたスピーカー内蔵の一対のグリル１１２，１１２と、を備えている。また、ヘッドベルト１１１の一方（右側）の端部には、外側の面にソース機器２のリング操作部１２と同一のサブ操作部１１３が取り付けられている。ユーザーは、サブ操作部１１３により、ＢＰＭや曲調を直接操作することができる。この場合には、ヘッドホン５に対しソース機器２は、所定の距離近付けることにより通信可能となる（コンテンツ情報の授受）。
【００５１】
図１３は、ヘッドホン５の制御ブロック図である。ヘッドホン５は、制御部１１５、サブ操作部１１３、ＤＳＰ１１６、アンプ１１７、スピーカー１１８、無線通信部１１９および電源部１２０を備え、これらはバスＢ４を介して接続されている。
【００５２】
制御部１１５は、ＣＰＵ、ＲＯＭ、ＲＡＭ等から成り、ヘッドホン５内の各部を制御する。サブ操作部１１３は、ソース機器２のリング操作部１２と同様の構成および機能を有する。ＤＳＰ１１６は、音声信号処理を行うマイクロプロセッサーであり、ソース機器２から圧縮された楽曲データが転送された場合、これをデコードするデコード処理および、楽曲の切替時におけるクロスフェード処理などを行う。アンプ１１７は、ＤＳＰ１１６による音声処理後の音声信号を増幅する。スピーカー１１８は、両耳用の２個の小型スピーカーから成り、増幅後の音声信号を出力する。無線通信部１１９は、無線通信を介し、ソース機器２および他の再生機器（ホームオーディオ３、カーオーディオ４）と情報の授受を行う。電源部１２０は、乾電池を主要部とし、ヘッドホン５内の各部に電源を供給する。
【００５３】
以上のように本実施形態によれば、ホームオーディオ３において、コンテンツ再生部４１の上面（タッチパネル４６の表示面）とスピーカー部４２の上出力面４２ａと、が略面一に形成され、且つ装置ケース４３を介して、コンテンツ再生部４１とスピーカー部４２と、が一体に形成されているため、コンテンツ再生部４１とスピーカー部４２との物理的な一体性と、デザイン的な一体性とを併せ持たせることができる。特に、コンテンツ再生部４１のターンテーブルをイメージしたデザインと、水平姿勢となるスピーカー部４２の特異なデザイナと、を融合させることができる。
また、ソース機器をコンテンツ供給源とし、これにホームオーディオ３、カーオーディオ４、ヘッドホン５等を組み合わせて再生システム１を構築することで、好みのコンテンツ情報を、ユーザーの生活のあらゆる場面で且つ複数人で、適宜再生して楽しむことができる。
なお、本発明におけるコンテンツは、音楽や画像の他、映像であってもよい。
【符号の説明】
【００５４】
１  再生システム、２  ソース機器、３  ホームオーディオ、４  カーオーディオ、５  ヘッドホン、７  リストバンド、８  ステアリングホルダー、１１  機器本体、１２  リング操作部、２３  制御部、２４  メモリー、２５  電源部、２６  無線通信部、４１  コンテンツ再生部、４２  スピーカー部、４２ａ  上出力面、４２ｂ  下出力面、４３  装置ケース、４４  台座部、４５  スピーカー、４５ａ  音放射面、４５ｂ  音放射面、４６  タッチパネル、６１  制御部、６６無線通信分、６７  充電部、７３  機器装着溝部、８１  制御部、８７  無線通信部、１１５  制御部、１１９  無線通信部
【図１】
2013093762.tif 000003
【図２】
2013093762.tif 000004
【図３】
2013093762.tif 000005
【図４】
2013093762.tif 000006
【図５】
2013093762.tif 000007
【図６】
2013093762.tif 000008
【図７】
2013093762.tif 000009
【図８】
2013093762.tif 000010
【図９】
2013093762.tif 000011
【図１０】
2013093762.tif 000012
【図１１】
2013093762.tif 000013
【図１２】
2013093762.tif 000014
【図１３】
2013093762.tif 000015